(57)【要約】【課題】釘の間隔調整時間を短縮し得るとともに釘の蛇行状変形も防止し得る釘間隔調整工具を提供する。【解決手段】釘間隔調整工具１０では、障害釘の軸径よりも広い溝幅で工具先端部２０の長手方向に延びる溝部２３が工具先端部２０の開閉方向に拡がる仮想面Ｋに対して上方向または下方向に２本並んで形成されており、工具先端部２０の開閉に伴って両溝部２３同士の間隔が広狭になるとともに、この間隔が２本の障害釘の根元間隔に等しくなると、両溝部２３はほぼ平行になる。これにより、遊技盤面に打設された２本の障害釘を、このような２本の溝部２３にそれぞれ嵌めることで、工具先端部２０の開閉方向に対してこれらの障害釘がそれぞれ溝部２３に掛止されるため、工具先端部２０の開閉により２本の障害釘の開閉間隔を開き方向・閉じ方向にそれぞれ調整することが可能となる。【選択図】図１
2010069284.tif 000002
【特許請求の範囲】
【請求項１】
握り部を閉じると工具先端部の間隔が狭くなり、前記握り部を開くと前記工具先端部の間隔が広くなるペンチ構造を有し、遊技機の遊技盤面に打設された２本の釘の開閉間隔を前記工具先端部で調整する釘間隔調整工具であって、
前記工具先端部には、前記釘の軸径よりも広い溝幅で当該工具先端部の長手方向に延びる溝部が前記工具先端部の開閉方向に拡がる仮想面に対して上方向または下方向に２本並んで形成されており、
前記工具先端部の開閉に伴って前記両溝部同士の間隔が広狭になるとともに、この間隔が前記２本の釘の根元間隔に等しくなると、前記両溝部はほぼ平行になることを特徴とする釘間隔調整工具。
【請求項２】
前記２本の溝部は、前記仮想面に対して所定の鋭角をなす方向に沿って形成されていることを特徴とする請求項１記載の釘間隔調整工具。
【請求項３】
前記鋭角の角度は、１０度以上３０度以下であることを特徴とする請求項２記載の釘間隔調整工具。
【請求項４】
前記工具先端部には、前記溝部に連通し前記釘の釘頭部を収容可能な幅広かつ前記長手方向に延びる切欠部が形成されていることを特徴とする請求項１〜３のいずれか一項に記載の釘間隔調整工具。
【請求項５】
請求項１〜４のいずれか一項に記載の前記ペンチ構造に代えて、前記握り部を閉じると前記工具先端部の間隔が広くなり、前記握り部を開くと前記工具先端部の間隔が狭くなるペンチ構造を有することを特徴とする釘間隔調整工具。
【発明の詳細な説明】
【技術分野】
【０００１】
本発明は、パチンコ遊技機やコイン遊技機等の遊技機の遊技盤面に打設された２本の釘の開閉間隔を調整するために用いられる釘間隔調整工具に関するものである。
【背景技術】
【０００２】
パチンコ遊技機等の遊技盤面に打ち込まれた釘、特に、チャッカーの上方に打設されて「命釘」とか「へそ釘」と称される障害釘は、その２本の釘の開閉間隔（釘の開閉具合）が球の流れや当たりの難易度を制御し得るため、いわゆる釘師がそれらの開き具合や閉じ具合を調整や管理している。調整方法は、釘師により様々ではあるが、一般的には、一方の手にハンマー、他方の手に球ゲージや角度ゲージを持って、釘の横をハンマーで叩きながらその角度を微妙に調整するといったものである。
【０００３】
しかしこのような釘を１本ずつ叩いてその角度を調整する方法では、２本の釘のそれぞれに対してハンマーで叩く必要があり手間がかかって効率が悪い。そのため、間隔調整に要する時間を短縮し得る技術として、例えば下記特許文献１に開示される「パチンコ遊技台の釘調整用ペンチ」がある。
【特許文献１】特開平１−１４４０８３号公報
【発明の開示】
【発明が解決しようとする課題】
【０００４】
ところが、このような特許文献１に開示される技術によると、ペンチの圧接部で２本の釘を両側から挟み込んでその間隔を狭くするとともに、球ゲージ等のゲージ部材を両釘間に介在させてそれ以上釘の間隔が狭くならないように規制している。
【０００５】
このため、釘の間隔を狭くすることはできても拡げることはできないことから、間隔を拡げたい場合には、従来と同様にハンマー等で２本の釘をそれぞれ叩いて拡げる必要がある。即ち、釘の間隔は狭くするばかりではないので、拡げる必要がある場合には特許文献１に開示される技術を適用することができず、結局は間隔調整に時間がかかってしまうという問題がある。
【０００６】
また、釘の間にゲージ部材を介在させて間隔を狭めるため、このゲージ部材を支点に釘が曲がることになる。このため、遊技盤面の根元よりも上部分の途中から「へ字」形状に釘が変形することから、このように変形して狭まった釘の間隔を拡げようとした場合には「Ｓ字」形状に蛇行したように釘が変形（蛇行状変形）して見栄えが悪くなってしまうという問題がある。
【０００７】
本発明は、上述した課題を解決するためになされたもので、釘の間隔調整時間を短縮し得るとともに釘の蛇行状変形も防止し得る釘間隔調整工具を提供することを目的とする。
【課題を解決するための手段】
【０００８】
上記目的を達成するため、特許請求の範囲に記載の請求項１記載の手段を採用する。この手段によると、工具先端部には、釘の軸径よりも広い溝幅で当該工具先端部の長手方向に延びる溝部が工具先端部の開閉方向に拡がる仮想面に対して上方向または下方向に２本並んで形成されており、この工具先端部の開閉に伴って両溝部同士の間隔が広狭になるとともに、この間隔が２本の釘の根元間隔に等しくなると、両溝部はほぼ平行になる。
【０００９】
これにより、遊技機の遊技盤面に打設された２本の釘を、このような２本の溝部にそれぞれ嵌めることで、工具先端部の開閉方向に対してこれらの釘がそれぞれ溝部に掛止されるため、ペンチ構造による工具先端部の開閉によって当該２本の釘の開閉間隔を開き方向・閉じ方向にそれぞれ調整することができる。また、２本の溝部は、工具先端部の長手方向に延びて形成されており、両溝部同士の間隔が当該２本の釘の根元間隔に等しくなると、ほぼ平行になるため、釘に対して閉じ方向も開き方向も同じ溝部で変形させることができ、また釘に対して同じ位置で変形させることができる。
【００１０】
特許請求の範囲に記載の請求項２記載の手段を採用する。この手段によると、２本の溝部は、仮想面に対して所定の鋭角をなす方向に沿って形成されている。これにより、遊技機の遊技盤面にほぼ垂直に打設される釘に対して、上方向または下方向に所定の角度（鋭角）で当該工具先端部を位置合わせすることができるので、所定の角度の設定により釘師（当該工具に使用者）の手首や腕に身体的な負担をかけ難くすることができる。
【００１１】
特許請求の範囲に記載の請求項３記載の手段を採用する。この手段によると、鋭角の角度は１０度以上３０度以下である。これにより、標準的な成人体型の釘師が遊技機の前に据え付けられた椅子に座って作業をすると、丁度良い位置関係で遊技盤面のほぼ全体の釘に対峙可能になるため、釘師の手首や腕に身体的な負担をかけ難くすることができる。
【００１２】
特許請求の範囲に記載の請求項４記載の手段を採用する。この手段によると、工具先端部には、溝部に連通し釘の釘頭部を収容可能な幅広かつ長手方向に延びる切欠部が形成されている。これにより、釘頭部がこのような切欠部内で工具先端部の長手方向に移動可能になる結果、溝部に嵌った釘の釘軸部も同様に工具先端部の長手方向に動かすことができる。つまり、溝部に嵌った釘を工具先端部の長手方向にスライドさせることができるため、当該釘に対する溝部の位置を変更したり、釘を溝部でシゴイて形を整えることが可能となる。
【００１３】
特許請求の範囲に記載の請求項５記載の手段を採用する。この手段によると、握り部を閉じると工具先端部の間隔が広くなり、握り部を開くと工具先端部の間隔が狭くなるペンチ構造を有する。手を開くよりも握る方が一般に力を発揮することができるヒトの手の特性上、請求項１に係る発明が釘の開閉間隔を閉じる（狭める）方に重点を置いた工具であるとすれば、請求項５に係る発明は、釘の開閉間隔を開く（拡げる）方に重点を置いた工具を提供することができる。また、請求項２〜４の各特徴を開閉間隔が開くものに適用することが可能となる。
【発明の効果】
【００１４】
請求項１の発明では、遊技機の遊技盤面に打設された２本の釘を、このような２本の溝部にそれぞれ嵌めることで、工具先端部の開閉方向に対してこれらの釘がそれぞれ溝部に掛止されるため、ペンチ構造による工具先端部の開閉によって当該２本の釘の開閉間隔を開き方向・閉じ方向にそれぞれ調整することができる。したがって、同じ工具で、釘の開閉間隔を狭めたり拡げたりすることができるので、釘の間隔調整時間を短縮することができる。また、２本の溝部は、工具先端部の長手方向に延びて形成されており、両溝部同士の間隔が当該２本の釘の根元間隔に等しくなると、ほぼ平行になるため、釘に対して閉じ方向も開き方向も同じ溝部で変形させることができ、また釘に対して同じ位置で変形させることができる。したがって、閉じ方向・開き方向のいずれについても、釘の変形位置が固定されるため、釘の蛇行状変形も防止することができる。
【００１５】
請求項２の発明では、遊技機の遊技盤面にほぼ垂直に打設される釘に対して、上方向または下方向に所定の角度（鋭角）で当該工具先端部を位置合わせすることができるので、所定の角度の設定により釘師（当該工具の使用者）の手首や腕に身体的な負担をかけ難くすることができる。したがって、長時間使用しても疲れ難くなるため、釘の間隔調整時間を短縮することができることに加え、作業効率を向上させることができる。
【００１６】
請求項３の発明では、標準的な成人体型の釘師が遊技機の前に据え付けられた椅子に座って作業をすると、丁度良い位置関係で遊技盤面のほぼ全体の釘に対峙可能になるため、釘師の手首や腕に身体的な負担をかけ難くすることができる。したがって、長時間使用しても疲れ難くなるため、釘の間隔調整時間を短縮することができることに加え、作業効率を向上させることができる。
【００１７】
請求項４の発明では、釘頭部がこのような切欠部内で工具先端部の長手方向に移動可能になる結果、溝部に嵌った釘の釘軸部も同様に工具先端部の長手方向に動かすことができる。つまり、溝部に嵌った釘を工具先端部の長手方向にスライドさせることができるため、当該釘に対する溝部の位置を変更したり、釘を溝部でシゴイて形を整えることが可能となる。したがって、釘を変形させる位置を変えたり、不本意に変形した釘を整えることができる。
【００１８】
請求項５の発明では、釘の開閉間隔を開く（拡げる）方に重点を置いた工具を提供することができる。したがって、特に有効に、開閉間隔の開き方向に対して、釘の間隔調整時間を短縮することができ、また釘の蛇行状変形も防止することができる。また、釘師の手首や腕に身体的な負担をかけ難くすることができるので、作業効率も向上させることができる。なお、請求項５に係る発明であっても、請求項１に係る発明と同様に、開閉間隔の「開き」方向に対して、釘の間隔調整時間を短縮することができ、また釘の蛇行状変形も防止することができる。
【発明を実施するための最良の形態】
【００１９】
以下、本発明の釘間隔調整工具の実施形態について図を参照して説明する。本実施形態に係る釘間隔調整工具１０は、パチンコ遊技機やコイン遊技機等の遊技機の遊技盤面に打設された２本の釘の開閉間隔を調整するために用いられるもので、特に「命釘」や「へそ釘」と称される障害釘の開閉間隔（障害釘の開閉具合）の調整に有効な工具である。
【００２０】
まず、図１および図２に基づいて釘間隔調整工具１０の構成を説明する。なお、図１は、釘間隔調整工具１０の全体構成を示す斜視図で、通常使用時（図３参照）の裏側から見たものが図示されている。また図２には、工具先端部２０等の構成が図示されている。
【００２１】
図１に示すように、本実施形態に係る釘間隔調整工具１０は、主に、握り部１１，１２と可動部１４，１５とから構成されており、一体に構成されて棒状をなす握り部１１および可動部１４と、同様に棒状をなす握り部１２および可動部１５と、を交叉させて、その交叉部分が軸部１６により軸支されている。
【００２２】
これにより、当該釘間隔調整工具１０では、握り部１１，１２を閉じると可動部１４の端部１４ａと可動部１５の端部１５ａとの間隔が狭くなり、握り部１１，１２を開くと可動部１４の端部１４ａと可動部１５の端部１５ａとの間隔が広くなる、洋鋏のように可動部１４，１５が作動する。つまり、釘間隔調整工具１０は「握ると閉じるタイプ」のペンチ構造（またはプライヤ構造）を有するように構成されている。
【００２３】
なお、本実施形態の釘間隔調整工具１０は、軸部１６に近接した握り部１１，１２の間に、押す力に反発して拡がる圧縮コイルスプリングとして、ばね１８が設けられている。これにより、当該ばね１８の付勢力（反発力）によって握り部１１，１２の間隔が拡がる方向に付勢されるため、釘間隔調整工具１０の使用者（例えば釘師）により握られていないときには、釘間隔調整工具１０は、握り部１１，１２が開いた状態を維持し続ける。
【００２４】
図１には、このような「握ると閉じるタイプ」のペンチ構造によって開閉する可動部１４，１５の閉じ方向（破線による矢印）とその開閉方向に拡がる仮想面を示す符号Ｋが図示されており、またこの仮想面Ｋ上で可動部１４，１５の開閉範囲の中心となり軸部１６を通る中心軸Ｊが一点鎖線Ｊが図示されている。
【００２５】
本実施形態の釘間隔調整工具１０は、このように開閉する可動部１４，１５（以下「工具先端部２０」と総称する）の端部１４ａ，１５ａ（以下「ベース２１」と総称する）の形状に特徴がある。このため、ここからは、主に図２を参照して工具先端部２０について説明する。なお、工具先端部２０を構成するそれぞれのベース２１の形状は、端部１４ａおよび端部１５ａのいずれについても同様に構成されているので、ここでは端部１４ａを代表して説明する。
【００２６】
なお、図２(A)には、工具先端部２０の平面図、図２(B)には、図２(A)に示す２Ｂ方向から見た工具先端部２０の側面図、図２(C)には、図２(B)に示す２Ｃ方向から見た工具先端部２０の底面図、図２(D)には、図２(B)に示す２Ｄ方向から見た工具先端部２０の正面図、がそれぞれ示されており、また図２(E)には、遊技盤１００に打設された障害釘１１０の構成が図示されている。
【００２７】
工具先端部２０には、障害釘１１０の軸径Ｘよりも広い溝幅で工具先端部２０の長手方向に延びる溝部２３が工具先端部２０の開閉方向に拡がる仮想面Ｋに対してそれぞれのベース２１の下方向に並んで形成されている（図１参照）。
【００２８】
即ち、図２(B)〜図２(D)に示すように、この溝部２３は、それぞれのベース２１に対して板壁状に所定間隔αを隔ててほぼ平行に立設する２枚のガイド２２により形成されており、工具先端部２０の開閉に伴って両溝部２３同士の位置間隔が広くなったり狭くなったりするように構成されている。またこれらの溝部２３は、後述するように、両溝部２３の間隔が障害釘１１０の根元間隔に等しくなると、ほぼ平行になるように位置している。
【００２９】
このような溝部２３を形成する２枚のガイド２２は、その所定間隔（溝幅）αが障害釘１１０の軸径Ｘの例えば１．２倍〜１．５倍に設定されている。この間隔が軸径Ｘの１．２倍よりも狭いと、ガイド２２の間つまり溝部２３に障害釘１１０を嵌め難くなり、軸径Ｘの１．５倍よりも広いと、溝部２３内に障害釘１１０の遊び空間ができてしまい意図した位置で障害釘１１０を曲げることができなくなるため、溝部２３の溝幅αをこのように設定している。なお、ここでいう障害釘１１０の軸径Ｘとは、図２(E)に示すように、釘軸部１１０ａの太さのことをいい、通常、１．７mmに設定されている。
【００３０】
本実施形態では、図２(B)に示すように、ベース２１に対してこの溝部２３に角度θを付けて形成している。即ち、溝部２３は、前述した仮想面Ｋ（工具先端部２０の開閉方向に拡がる面で、図２においては、図２(B)および図２(D)に示す線Ｋを含む面）に対して所定の鋭角を角度θ方向に沿って形成されている。例えば、この角度θは１０度〜３０度の範囲（例えば１５度）で設定されており、標準的な成人体型の使用者（釘師）が遊技機の前に据え付けられた椅子（通常、遊技機のお客様が腰掛ける椅子）に座って作業をした場合、遊技盤面のほぼ全体の釘に対して丁度良い位置関係で作業可能にしている。
【００３１】
これら２枚のガイド２２は、図２(C)に示すように、その長さ（溝長）βが障害釘１１０の軸長Ｙの例えば０．５倍〜０．８倍に設定されている。またベース２１の先端（以下「ベース先端」という）２１ａからガイド後端２２ｂまでの長さβ’が少なくとも障害釘１１０の軸長Ｙよりも短くなるように設定されている。つまり、障害釘１１０の釘頭部１１０ｂが、溝部２３から後述する切欠部２５に突出可能に設定されている。なお、ここでいう障害釘１１０の軸長Ｙとは、図２(E)に示すように、盤面１００ａから露出している釘軸部１１０ａと釘頭部１１０ｂを含めた長さのことをいい、通常、１７mmに設定されている。障害釘１１０の全長は、通常、３３mmである。
【００３２】
本実施形態では、図２(B)に示すように、ガイド２２の先端（以下「ガイド先端」という）２２ａや、ベース２１の先端（以下「ベース先端」という）２１ａに、それぞれ丸味を付けている。即ち、ガイド先端２２ａやベース先端２１ａの角をとる（面取りをする）ことで、後述するように、釘間隔調整工具１０の使用時にこれらが遊技盤１００の盤面１００ａに接触しても盤面１００ａにキズがつき難いようにしている。
【００３３】
また、図２(A)や図２(B)に示すように、ベース２１のガイド２２が形成されない平坦部側（図２(A)，(B)に示す網掛け部分）も、その幅方向両角部２１ｂに丸味が付けられている。この面取りも釘間隔調整工具１０の使用時に接触しても盤面１００ａにキズがつき難いようにするためである。
【００３４】
図２(B)や図２(C)に示すように、ベース２１には、ガイド２２の他に切欠部２５が形成されている。この切欠部２５は、前述した溝部２３に連通するように、ベース２１のガイド２２が形成される側（本実施形態では下側）に形成されている。この切欠部２５は、溝部２３に嵌めた障害釘１１０の釘頭部１１０ｂを収容するためのものである。このため、切欠長γは、障害釘１１０の釘頭部１１０ｂがベース２１の後端壁２１ｃに当接しないように設定されている。
【００３５】
また、本実施形態では、ベース２１のベース先端２１ａがガイド２２のガイド先端２２ａよりも突出しており、このベース先端２１ａの端部は平坦に形成されている。即ち、図２(C)に示すように、ベース２１は、その平坦状な先端がガイド２２よりも（β’−β）だけ先端方向に延びるように突出している。これにより、後述するように、釘間隔調整工具１０の使用時にこのベース先端２１ａが遊技盤１００の盤面１００ａに当接したときに、ベース２１が盤面１００ａに対してほぼ垂直に当てられるように案内をしている。
【００３６】
なお、例えば、ベース先端２１ａやガイド先端２２ａをゴムや樹脂等の盤面１００ａよりも柔らかい物（弾性体）で覆っても良い。これにより、このような弾性体が緩衝部材の役割を果たすため、ベース先端２１ａ等が盤面１００ａに接触しても盤面１００ａにキズをつけないようにすることができる。
【００３７】
このように工具先端部２０が構成される釘間隔調整工具１０は、例えば、図３や図４に示すように使用される。なお、図３には、使用者（例えば釘師）が当該釘間隔調整工具１０を用いて障害釘１１０の開閉具合を調整している様子が図示されており、また図４には、図３に示す釘間隔調整工具１０の工具先端部２０を下方から見上げた状態が図示されている。なお、符号１２０，１３０は、いずれも「チャッカー」を示す。
【００３８】
即ち、図３に示すように、ガイド２２や溝部２３を下向き（重力方向のこと）に釘間隔調整工具１０を置いた状態で、握り部１１，１２をその上側から掌で覆うように握って当該釘間隔調整工具１０をつかむ。
【００３９】
そして、図４に示すように、開閉具合の調整対象となる２本の障害釘１１０の釘根元１１０ｃを目指して、ベース先端２１ａが盤面１００ａにピッタリと当接するように位置合わせした後、障害釘１１０の釘軸部１１０ａの上方からベース２１を被せるようにしてガイド２２間の溝部２３に釘軸部１１０ａを嵌める。このとき、障害釘１１０の釘頭部１１０ｂは、溝部２３から突出させて切欠部２５の中に釘頭部１１０ｂが入るようにベース２１の位置合わせを行う。
【００４０】
このような状態で、握り部１１と握り部１２との間を閉じるように、握り部１１，１２を握ると、可動部１４の端部１４ａと可動部１５の端部１５ａとの間隔が狭く、つまり両ベース２１間が狭くなるため、両方のベース２１の溝部２３に嵌って掛止されていた障害釘１１０同士の開閉間隔が狭くなり、その結果、障害釘１１０の開閉間隔を閉じ方向に調整することができる。
【００４１】
これとは逆に、握り部１１と握り部１２との間を開くように、握り部１１，１２を開くと、両ベース２１間が広くなるため、両方のベース２１の溝部２３に嵌って掛止されていた障害釘１１０同士の開閉間隔が拡がり、障害釘１１０の開閉間隔を開き方向に調整することができる。
【００４２】
このような工具先端部２０の作動を整理すると、図５に示すように表される。
即ち、図５(A)に示すように、工具先端部２０には、障害釘１１０の軸径Ｘよりも広い溝幅αで当該工具先端部２０の長手方向に延びる溝部２３が工具先端部２０の開閉方向に拡がる仮想面Ｋに対して下方向に２本並んで形成されており（図２参照）、この工具先端部２０の開閉に伴って両溝部２３同士の間隔Ｚ１が広狭になるとともに、この間隔Ｚ１が２本の障害釘１１０の根元間隔Ｚ０に等しくなると、両溝部２３はほぼ平行になる。
【００４３】
これにより、遊技盤１００の盤面１００ａに打設された２本の障害釘１１０を、このような２本の溝部２３にそれぞれ嵌めることで、工具先端部２０の開閉方向に対してこれらの障害釘１１０がそれぞれ溝部２３に掛止されるため、ペンチ構造による工具先端部２０の開閉によって当該２本の障害釘１１０の傾き角度Ｚθを変えて開閉間隔Ｚ１を開き方向・閉じ方向にそれぞれ調整することができる。
【００４４】
例えば、図５(C)に示すように、握り部１１，１２を閉じるように握ると、両ベース２１の間隔が狭くなるため、両方のベース２１の溝部２３に嵌って掛止されていた障害釘１１０の傾き角度Ｚθがいずれも鋭角になる。これにより、溝部２３同士の開閉間隔Ｚ２が根元間隔Ｚ０よりも狭くなることから、障害釘１１０の開閉間隔Ｚ２を閉じ方向に調整することができる。
【００４５】
一方、図５(D)に示すように、握り部１１，１２を開くと、両ベース２１の間隔が広くなるため、両方のベース２１の溝部２３に嵌って掛止されていた障害釘１１０の傾き角度Ｚθがいずれも鈍角になる。これにより、溝部２３同士の開閉間隔Ｚ３が根元間隔Ｚ０よりも拡がることから、障害釘１１０の開閉間隔Ｚ３を開き方向に調整することができる。
【００４６】
また、図５(A)に示すように、これら２本の溝部２３は、工具先端部２０の長手方向に延びて形成されており、両溝部２３同士の間隔が当該２本の障害釘１１０の根元間隔Ｚ０に等しくなると、両溝部２３はほぼ平行（中心軸Ｊにも平行）になる。このため、障害釘１１０に対して閉じ方向も開き方向も同じ溝部２３で変形させることができ、また障害釘１１０に対して同じ位置で変形させることができる。したがって、閉じ方向・開き方向のいずれについても、障害釘１１０の変形位置が固定されることから、障害釘１１０の蛇行状変形も防止することができる。
【００４７】
さらに、図５(B)に示すように、それぞれのベース２１に形成される２本の溝部２３は、仮想面Ｋに対して所定の鋭角θをなす方向に沿って形成されている。これにより、遊技盤１００の盤面１００ａにほぼ垂直に打設される障害釘１１０に対して、上方向（反重力方向）または下方向（重力方向）に所定の角度θで当該工具先端部２０を位置合わせすることができる。
【００４８】
例えば、この角度θを１０度以上３０度以下に設定することで、標準的な成人体型の使用者（例えば釘師）が遊技盤１００の前に据え付けられた椅子に座って作業をすると、丁度良い位置関係で盤面１００ａのほぼ全体の障害釘１１０に対峙可能になるため、使用者の手首や腕に身体的な負担をかけ難くすることができる。したがって、長時間使用しても疲れ難くなるため、障害釘１１０の間隔調整時間を短縮することができることに加え、作業効率を向上させることができる。
【００４９】
さらにまた、図５(C)や図５(D)に示すように、工具先端部２０には、溝部２３に連通し障害釘１１０の釘頭部１１０ｂを収容可能な幅広かつ長手方向に延びる切欠部２５が形成されている。これにより、釘頭部１１０ｂがこのような切欠部２５内で工具先端部２０の長手方向に移動可能になる結果、溝部２３に嵌った障害釘１１０の釘頭部１１０ｂも同様に工具先端部２０の長手方向に動かすことができる（図５(C)，(D)に示す矢印方向）。
【００５０】
即ち、溝部２３に嵌った障害釘１１０を工具先端部２０の長手方向にスライドさせることができるため、当該障害釘１１０に対する溝部２３の位置を変更したり、障害釘１１０を溝部２３でシゴイて形を整えることが可能となる。したがって、障害釘１１０を変形させる位置を変えたり、不本意に変形した釘を整えることができる。
【００５１】
なお、以上説明した釘間隔調整工具１０は、「握ると閉じるタイプ」のペンチ構造（またはプライヤ構造）を有するように構成したが、これとは逆に「握ると開くタイプ」のペンチ構造（またはプライヤ構造）を有するように構成しても良い。即ち、図６に示すように、握り部１１，１２を閉じると可動部１４’の端部１４ａ’と可動部１５’の端部１５ａ’との間隔が広くなり（破線による矢印）、握り部１１，１２を開くと可動部１４’の端部１４ａ’と可動部１５’の端部１５ａ’との間隔が狭くなるように可動部１４’，１５’が作動する釘間隔調整工具１０’にも、本発明を適用することができる。
【００５２】
これにより、前述した釘間隔調整工具１０では、手を開くよりも握る方が一般に力を発揮することができるヒトの手の特性上、障害釘１１０の開閉間隔を閉じる（狭める）方に重点を置いた工具であるのに対し、図６に示す釘間隔調整工具１０’は、障害釘１１０の開閉間隔を開く（拡げる）方に重点を置いた工具となる。
【００５３】
つまり、障害釘１１０の開閉間隔の開き方向に対して間隔調整時間を短縮することができ、また障害釘１１０の蛇行状変形も防止することができる。また、釘間隔調整工具１０と同様に、使用者（例えば釘師）の手首や腕に身体的な負担をかけ難くすることができるので、作業効率も向上させることができ、また障害釘１１０の蛇行状変形も防止することができる。
【００５４】
なお、以上説明した実施形態では、工具先端部２０には、両溝部２３を仮想面Ｋに対してそれぞれのベース２１の下方向に並んで形成したが、仮想面Ｋに対してベース２１の上方向に形成しても良い。この場合、ガイド２２や溝部２３を上向き（反重力方向）に釘間隔調整工具を置いた状態で、握り部１１，１２をその上側から掌で覆うように握って当該釘間隔調整工具１０をつかんで使用することになり、障害釘１１０の下方からベース２１を被せるようにして溝部２３に釘軸部１１０ａを嵌める。その他は、図５に示す各図の上下反対にした位置関係で、釘間隔調整工具１０と同様に使用することができる。
【００５５】
また、このような両溝部２３を仮想面Ｋに対してそれぞれのベース２１の上下両方向に並んで形成しても良い。これにより、障害釘１１０を上下いずれの方向からもベース２１を被せるようにして溝部２３に釘軸部１１０ａを嵌めることが可能となるので、より使い勝手を良くすることができる。
【００５６】
また、以上説明した実施形態では、遊技盤１００の盤面１００ａに打設される障害釘１１０の開閉具合を調整する場合を例示して、釘間隔調整工具１０の構成や使用例を説明したが、本発明に係る釘間隔調整工具の適用はこれに限られることはなく、例えば、遊技機に打設された各釘（天釘、道釘、ステップ釘、ジャンプ釘、よろい釘）の間隔調整や、建造物の壁面等に釘軸部が露出するように打ち込まれた２本の釘の開閉間隔を微調整する工具にも適用することができる。
【００５７】
さらに、以上説明した実施形態では、工具先端部２０を可動部１４，１５の一部として握り部１１，１２と一体に構成したが、汎用工具の可動部先端に取り外し可能なアタッチメントとして工具先端部２０（ベース２１）を別体に構成しても良い。これにより、可動部先端を種々のアタッチメントに交換可能な汎用工具に本発明を適用することができる。
【００５８】
例えば、これを技術的思想の創作として把握すると、「握り部を閉じると可動部先端の間隔が狭くなり、前記握り部を開くと前記可動部先端の間隔が広くなるペンチ構造（またはプライヤ構造）、または握り部を開くと可動部先端の間隔が狭くなり、前記握り部を閉じると前記可動部先端の間隔が広くなるペンチ構造（またはプライヤ構造）を有する汎用工具の可動部先端に着脱自在に設けられる棒形状の２本一組からなる工具アタッチメントであって、遊技機の遊技盤面に打設された釘の軸径よりも広い溝幅で長手方向に延びる溝部が形成されており、前記可動部先端に装着されると、前記可動部先端の開閉方向に拡がる仮想面に対して前記溝部が上方向または下方向に２本並んで位置することを特徴とする工具アタッチメント。」となる。
【００５９】
具体的には、例えば、図７に示すように構成される。図７(A)には、工具アタッチメント５０の側面図、図７(B)には、図７(A)に示す７Ｂ方向から見た工具アタッチメント５０の底面図、図７(C)には、図７(B)に示す一点鎖線による断面を矢印７Ｃ方向から見た断面図、がそれぞれ示されている。
【００６０】
即ち、工具アタッチメント５０には、その一端側に前述したような工具先端部２０のベース２１の各構成要素（ガイド２２、溝部２３等）を形成し、他端側に図略の汎用工具の可動部先端に着脱自在な丸棒状の接続部５２を形成する。そして、この接続部５２には、その一部に切欠き溝５４を形成する。これにより、当該工具アタッチメント５０の軸周り方向位置が一義的、つまりガイド２２や溝部２３を下向き（重力方向）または上向き（反重力方向）になるように、汎用工具の可動部先端に取り付け可能となる。
【００６１】
なお、汎用工具の可動部先端には、接続部５２を差し込み可能な接続穴が形成され、この接続穴に対してほぼ直角に突出して接続穴に差し込まれた接続部５２の切欠き溝５４に係合可能な固定ねじを備えている。これにより、当該可動部先端に工具アタッチメント５０を所定の方向（向き）に固定可能にしている。
【００６２】
このように構成することで、遊技盤１００（遊技機の遊技盤面）に打設された２本の障害釘１１０（釘）を、このような２本一組の工具アタッチメント５０の溝部２３にそれぞれ嵌めることにより、可動部先端の開閉方向に対してこれらの障害釘１１０がそれぞれ溝部２３に掛止される。このため、ペンチ構造による可動部先端の開閉によって当該２本の障害釘１１０の開閉間隔を開き方向・閉じ方向にそれぞれ調整することができる。
【００６３】
また、このような２本一組の工具アタッチメント５０の両溝部同士の間隔が当該２本の障害釘１１０の根元間隔に等しくなると、ほぼ平行になるように当該工具アタッチメント５０を汎用工具の可動部先端に装着することで、障害釘１１０に対して閉じ方向も開き方向も同じ溝部で変形させることができ、また障害釘１１０に対して同じ位置で変形させることができる。
【００６４】
さらに、このような２本一組の工具アタッチメント５０に設けられる２本の溝部２３を、前記仮想面Ｋに対して所定の鋭角θをなす方向に沿って形成することで、遊技盤１００にほぼ垂直に打設される障害釘１１０に対して、上方向または下方向に所定の角度θ（鋭角）で当該工具アタッチメント５０を位置合わせすることができる。これにより、所定の角度θの設定により釘師（当該工具アタッチメントを取り付けた汎用工具の使用者）の手首や腕に身体的な負担をかけ難くすることができる。
【００６５】
さらにまた、このような「所定の鋭角」の角度θを、１０度以上３０度以下に設定することにより、標準的な成人体型の釘師が遊技機の前に据え付けられた椅子に座って作業をすると、丁度良い位置関係で遊技盤１００のほぼ全体の釘に対峙可能になるため、釘師の手首や腕に身体的な負担をかけ難くすることができる。
【００６６】
また、このような２本一組の工具アタッチメント５０には、溝部２３に連通し釘の釘頭部１１０ｂを収容可能な幅広かつ長手方向に延びる切欠部２５を形成することにより、釘頭部１１０ｂがこのような切欠部２５内で当該工具アタッチメント５０の長手方向に移動可能になる結果、溝部２３に嵌った障害釘１１０の釘軸部１１０ａも同様に工具アタッチメント５０の長手方向に動かすことができる。つまり、溝部２３に嵌った障害釘１１０を工具アタッチメント５０の長手方向にスライドさせることができるため、障害釘１１０に対する溝部２３の位置を変更したり、障害釘１１０を溝部２３でシゴイて形を整えることが可能となる。
【図面の簡単な説明】
【００６７】
【図１】本発明の一実施形態に係る釘間隔調整工具の全体構成を示す斜視図である。
【図２】本実施形態に係る釘間隔調整工具の工具先端部等の構成例を示す説明図である。
【図３】本実施形態に係る釘間隔調整工具の使用例を示す説明図で、使用者が当該釘間隔調整工具を用いて障害釘の開閉具合を調整している様子を示すものである。
【図４】本実施形態に係る釘間隔調整工具の使用例を示す説明図で、図３における工具先端部を下方から拡大して見た状態を示すものである。
【図５】本実施形態に係る釘間隔調整工具を使用する場合における工具先端部、釘および盤面の位置関係を示す説明図である。
【図６】本発明の他の実施形態に係る釘間隔調整工具で、握り部を握ると工具先端部が開くタイプのペンチ構造を有するものの全体構成を示す斜視図である。
【図７】本発明の他の実施形態に係る工具アタッチメントの構成例を示す説明図である。
【符号の説明】
【００６８】
１０，１０’…釘間隔調整工具
１１，１２…握り部
１４，１５…可動部
１４ａ，１５ａ…端部（工具先端部）
１６…軸部
１８…ばね
２０…工具先端部
２１…ベース
２２…ガイド
２３…溝部
２５…切欠部
５０…工具アタッチメント
１００…遊技盤（遊技機の遊技盤）
１００ａ…盤面（遊技盤面）
１１０…障害釘（釘）
Ｊ…中心軸
Ｋ…仮想面
Ｘ…軸径
Ｙ…軸長
Ｚ１，Ｚ２，Ｚ３…釘の開閉間隔
Ｚ０…釘の根元間隔
Ｚθ…釘の開閉角度
α…溝幅
β…溝長
γ…切欠長
θ…角度
【図１】
2010069284.tif 000003
【図２】
2010069284.tif 000004
【図３】
2010069284.tif 000005
【図４】
2010069284.tif 000006
【図５】
2010069284.tif 000007
【図６】
2010069284.tif 000008
【図７】
2010069284.tif 000009